(57)【特許請求の範囲】
【請求項１】
投入された貨幣を収容し、この投入された貨幣に対応する貨幣価値情報を電子マネーとして機能する記憶媒体に記憶させる入金機において、投入された紙幣の金額に応じて受入れ可能な硬貨金種を設定する設定手段を備えたことを特徴とする入金機。
【請求項２】
請求項１記載の入金機において、硬貨金種に加えて、枚数も設定可能とすることを特徴とする入金機。
【請求項３】
請求項１または２に記載の入金機において、紙幣および硬貨を受入れた後に、紙幣の合計額に基づき受入れた硬貨が入金可能であるかを判断する判断手段を備えたことを特徴とする入金機。
【請求項４】
請求項１または２に記載の入金機において、まず紙幣を受入れた後、受入れた紙幣の合計額に基づき、硬貨が受入れ可能であるか判断する判断手段と、判断手段により受入れ可能であると判断した硬貨を表示部に表示する手段を備えたことを特徴とする入金機。
【請求項５】
請求項１ないし４のいずれかに記載の入金機において、入金額が確定した時点で、貨幣価値情報を電子マネーとして機能する記憶媒体に記憶させるとともに、貨幣価値情報をセンタ装置に送信する送信手段を備えたことを特徴とする入金機。
【発明の詳細な説明】
【技術分野】
【０００１】
本発明は、投入された入金情報を、例えば、電子マネーとして機能する非接触ＩＣカードなどの記憶媒体に対して記憶させる入金機に関する。
【背景技術】
【０００２】
近年、電子マネーと称して、例えば非接触ＩＣカードに入金情報を記録しておき、当該非接触ＩＣカードによって商品やサービスの決済を行うものが知られている。この種の非接触ＩＣカードにおいては、記憶した金額の残高がなくなるか少なくなると商品やサービスの決済ができなくなるため、金銭の入金情報を非接触ＩＣカードに積み増して記憶する入金機が必要になる。そこで、従来、紙幣あるいは硬貨を投入し、この入金情報を非接触ＩＣカードに対して積み増しする入金機が知られている（例えば、特許文献１参照）。
【特許文献１】特開２００１−９３００３号公報
【発明の開示】
【発明が解決しようとする課題】
【０００３】
ところで、前記特許文献１に示す入金機では、キャッシュカード、紙幣、および硬貨に対応するために、例えば、硬貨のみ入金であると、少ない入金情報が、毎回、サーバーであるセンタ装置に送信されることで、通信負荷が多大となるとともに明細データも増え、管理が複雑化するため、管理者側にとっては、紙幣のみの受入れとしたいのが現状である。
また、硬貨の場合、偽造され易いため、管理者側にとっては、受け入れを制限したいのが現状である。
しかしながら、利用者にとって、小額の硬貨を入金できることは、消費税あるいは財布の中の小銭を処分するうえで魅力的である。
そこで、管理者側および利用者側の双方にとって有益な入金機が求められているのが現状である。
【０００４】
本発明は、上記の点に鑑みてなされたものであり、紙幣および硬貨も受入れ可能とするとともに、通信負荷の低減を図ることのできる入金機を提供することを目的とする。
【課題を解決するための手段】
【０００５】
上記の目的を達成するために、本発明は、投入された貨幣を収容し、この投入された貨幣に対応する貨幣価値情報を電子マネーとして機能する記憶媒体に記憶させる入金機において、投入された紙幣の金額に応じて受入れ可能な硬貨金種を決定する決定手段を備えたことを特徴とする。
上記硬貨金種に加えて、枚数も設定可能とすることを特徴とする。
また、紙幣および硬貨を受入れた後に、紙幣の合計額に基づき受入れた硬貨が入金可能であるかを判断する判断手段を備えたことを特徴とする。
さらに、まず紙幣を受入れた後、受入れた紙幣の合計額に基づき、硬貨が受入れ可能であるか判断する判断手段と、判断手段により受入れ可能であると判断した硬貨を表示部に表示する手段を備えたことを特徴とする。
【０００６】
上記入金機において、入金額が確定した時点で、貨幣価値情報を電子マネーとして機能する記憶媒体に記憶させるとともに、貨幣価値情報をセンタ装置に送信する送信手段を備えたことを特徴とする。
【発明の効果】
【０００７】
本発明によれば、投入された貨幣を収容し、この投入された貨幣に対応する貨幣価値情報を電子マネーとして機能する記憶媒体に記憶させる入金機において、投入された紙幣の金額に応じて受入可能な硬貨金種を決定する決定手段を備えたことにより、硬貨の受入れ条件として、紙幣投入を前提条件とするため、サーバーであるセンタ装置への通信負荷が低減でき、明細データも少なくなるため、管理が容易となる。
また、偽造硬貨に対しても、必ず、紙幣投入が前提となるため、不正がし難くなるという効果が得られる。
さらに、受入れ可能硬貨を表示することにより、利用者はどの硬貨が受入れ可能であるかを容易に知ることができる。
よって、管理者側にとっては、紙幣の入金に応じて硬貨も入金されるため、利用者が硬貨を入金した場合により多くの入金を期待でき、利用者は、小額の硬貨投入が可能であるため、利便性が継続するという効果を得ることができる。
【発明を実施するための最良の形態】
【０００８】
以下に添付図面を参照して、本発明に係る入金機の好適な実施の形態について詳細に説明する。
図１は、入金機１の一例を示す概略正面図を示したものである。
図１において、１は入金機であり、入金機１に使用できる記憶媒体として非接触ＩＣカード２を採用している。非接触ＩＣカード２は、図示しないＩＣチップと、当該ＩＣチップに接続したコイル状アンテナとを有している。
その詳細構成として、図示はしないが、このＩＣチップは、記憶部、送受信部および電源整流部を有し、記憶部には、積み増し日時、積み増した貨幣価値情報、商品の購入、サービスの提供に際して行った決済情報、残高情報等の情報が記憶してあり、送受信部は後述するリーダライタと情報の送受信を行う部分であり、電源整流部は、リーダライタが送信した所定の電波によってコイル状アンテナの共振作用で発生した起電力を、ＩＣチップの作動電力として得る部分である。
【０００９】
なお、記憶媒体は、上述した非接触ＩＣカード２の他に、例えば、携帯通信端末（例えば携帯電話機）が採用可能である。
図１の非接触ＩＣカード入金機１は、その前面に、非接触ＩＣカード２内の金額情報などを表示するＬＣＤ表示部３、非接触ＩＣカード２を挿入するＩＣカード挿入口４、紙幣を投入する紙幣投入口５、硬貨を投入する硬貨投入口６、硬貨返却口６ａ、ＬＥＤなどの光源を内蔵しており、全ての入金が完了した時点で操作するための終了ボタン７、印刷された領収書を発行する領収書発行口８、ＬＥＤなどの光源を内蔵しており、領収書を印刷するか否かを決定する印刷ボタン９、入金機１の前面を覆う外扉の施錠部１０がそれぞれ設けてある。
図１は本発明を実施するための入金機のブロック図である。
【００１０】
主制御部１１は記憶部１１ａを有しており、主制御部１１には、アンテナ部１４ａを有するＩＣカードリーダライタ１４、紙幣投入口５に投入された紙幣を収容して識別する紙幣識別装置１５、硬貨投入口６に投入された硬貨を収容して識別する硬貨識別装置１６、各種設定値を入力するためのキーボード１７、領収書発行ユニット１８、ＬＡＮ２０などのネットワークを介してサーバーであるセンタ装置２１が接続してあり、この他に、ＬＣＤ表示部３、終了ボタン７、印刷ボタン９などが接続してある。
ＩＣカードリーダライタ１４は、アンテナ１４ａを介して非接触ＩＣカード２と情報の送受信が可能である。すなわち、ＩＣカードリーダライタ１４は、アンテナ１４ａを介して所定の電波を発信し、非接触ＩＣカード２のコイル状アンテナに起電力を生じさせて、ＩＣチップの作動電力にする。この作動電力により、ＩＣチップに記録してある残高情報はＩＣカードリーダライタ１４に送信され、リーダライタ１４は残高情報を取得する。一方、入金された紙幣の価値に相当する価値情報、入金日時などの入金情報はＩＣカードリーダライタ１４がアンテナ１４ａを介して非接触ＩＣカード２に送信してＩＣチップに記憶する。
【００１１】
主制御部１１の記憶部１１ａには、動作プログラムの他、図３に示すように本発明の実施形態である紙幣と硬貨との投入金関係を示す管理テーブルを記憶する。この管理テーブルは、予め設定しておいてもよいし、キーボード１７により入力することも可能である。
この図３について説明すると、紙幣による入金額が「１０００円」の場合には硬貨の受入れを拒否、「２０００円」の場合には「５００円硬貨」のみ受入れ可、「３０００円」の場合には「５００円、１００円硬貨」硬貨の受入れ可、「５０００円」の場合には「５００円、１００円、５０円、１０円硬貨」のみ受入れ可、「１００００円」の場合には全ての金種の硬貨受入れ可と設定してあり、この設定は、上記のキーボード１７により変更でき、しかも、硬貨の枚数も条件に付加するようにしてもよい。
入金機１の主制御部１１は、ＬＡＮ２０を介してセンタ装置２１に接続してあり、センタ装置２１との通信は、入金情報および記憶部１１ａに記憶してある各種データを送信可能となる。
【００１２】
この構成において、図４のフローチャートを用い、入金機の処理について説明する。
まず、非接触ＩＣカード２を受入れ可能であることをＬＣＤ表示部３にて表示する。非接触ＩＣカード２がＩＣカード挿入口４に挿入されたかを判断し（ステップＳ１）、利用者がＩＣカード挿入口４に非接触ＩＣカード２を挿入すると（ステップＳ１，Ｙｅｓ）、アンテナ部１４ａを介してＩＣカーダリーダライタ１４との間で所定の認証を行い（ステップＳ２）、受入れ可能な非接触ＩＣカード２であると判断すると認証ＯＫとして（ステップＳ２，Ｙｅｓ）、主制御部１１は、非接触ＩＣカード２に記録してある残高情報を取得して、当該残高および入金可能であることをＬＣＤ表示部３に表示する（ステップＳ３）。
次に、入金有りを判断して（ステップＳ４）、例えば、ここで、「１０００円札×３枚」＋「５００円硬貨×２枚」＋「１００円硬貨×３枚」＋「１０円硬貨×５枚」をそれぞれ紙幣投入口５、硬貨投入口６を投入すると（ステップＳ４，Ｙｅｓ）、合計金額並びに金種加算およびＬＣＤ表示部３による投入金額表示が紙幣および硬貨投入の度に主制御部１１を介して行われ（ステップＳ５）、この処理を終了ボタン７が押されるまで繰り返す（ステップＳ６）。この状態で終了ボタン７を押すと（ステップＳ６，Ｙｅｓ）、硬貨の投入があったかを判断して（ステップＳ７）、上記のように硬貨投入があったため（ステップＳ７、Ｙｅｓ）、主制御部１１の記憶部１１ａにて記憶している図３に示す管理テーブルを参照する（ステップＳ８）。この管理テーブルと投入された紙幣および硬貨とを対比して受入れ不可である無効硬貨が無しかを判定する（ステップＳ９）。上記の場合には、紙幣の合計額は「３０００円」であるので、「１０円硬貨×５枚」は受入れ拒否の無効硬貨となり（ステップＳ９，Ｎｏ）、硬貨返却口６ａから１０円硬貨５枚を返却し、（ステップＳ１０）、無効硬貨が無くなるまで、ステップＳ９，Ｓ１０の処理を繰り返す。
【００１３】
一方、ステップＳ９，Ｓ１０にて、上記のように無効硬貨を返金すると、残りの硬貨である「５００円硬貨×２枚」、「１００円硬貨×３枚」は受入れ可能であるため、この投入硬貨については、無効硬貨では無いとして（ステップＳ９，Ｙｅｓ）、紙幣の「３０００円」＋硬貨の「１３００円」の合計「４３００円」分の価値情報を、ＩＣカードリーダライタ１４を介して非接触ＩＣカード２に記憶する（ステップＳ１１）。この入金情報を主制御部１１からＬＡＮ２１を経由してセンタ装置２０に送信する（ステップＳ１２）。
その後、印刷ボタン９を押すと（ステップＳ１３）、領収書発行ユニット１８により領収書を印字して領収書発行口８から当該領収書を発行し（ステップＳ１４）、その後、非接触ＩＣカード２を返却して（ステップＳ１５）、一連の入金処理を終了する。
このように、従来とおり紙幣を入金でき、この紙幣入金を条件として硬貨の入金を可能とすることで、硬貨を入金したい利用者は必ず紙幣を入金するため、管理者側は従来以上の入金額を期待でき、しかも、センタ装置への入金情報の送信おいて１回で済むために、通信負荷が小さくなり、明細データ少なくなることで、管理が容易となり、また、利用者とっては小銭である硬貨も確実に入金できるため利便性が高まる。
【００１４】
次に、異なる実施形態について図５のフローチャートを用いて説明する。
まず、非接触ＩＣカード２を受入れ可能であることをＬＣＤ表示部３にて表示する。非接触ＩＣカード２がＩＣカード挿入口４に挿入されたかを判断し（ステップＳ５１）、利用者がＩＣカード挿入口４に非接触ＩＣカード２を挿入すると（ステップＳ５１，Ｙｅｓ）、アンテナ部１４ａを介してＩＣカーダリーダライタ１４との間で所定の認証を行い（ステップＳ５２）、受入れ可能な非接触ＩＣカード２であると判断すると認証ＯＫとして（ステップＳ５２，Ｙｅｓ）、主制御部１１は、非接触ＩＣカード２に記録してある残高情報を取得して、当該残高および紙幣が入金可能であることをＬＣＤ表示部３に表示する（ステップＳ５３）。
次に、紙幣入金有りを判断して（ステップＳ５４）、例えば、ここで、「５０００円札×１枚」を紙幣投入口５に投入すると（ステップＳ５４，Ｙｅｓ）、合計金額並びに金種加算およびＬＣＤ表示部３による投入金額表示が主制御部１１を介して行われ（ステップＳ５５）、この処理を終了ボタン７が押されるまで繰り返す（ステップＳ５６）。この状態で終了ボタン７を押すと（ステップＳ５６，Ｙｅｓ）、主制御部１１の記憶部１１ａにて記憶している図３に示す管理テーブルを参照し、この管理テーブルと投入された紙幣とを対比して受入れ可能である硬貨が有るか否か判断する（ステップＳ５７）。この場合、「５０００円紙幣」の入金であるため、図３に示す管理テーブルように、「５００円、１００円、５０円、１０円硬貨」が投入可能であり（ステップＳ７，Ｙｅｓ）、主制御部１１を介してＬＣＤ表示部３に硬貨が投入可能であること表示する（ステップＳ５８）。
【００１５】
このＬＣＤ表示部３に受入れ可能硬貨が表示された状態で、所定時間の間、硬貨受入れを許可し（ステップＳ５９）、所定時間の間、硬貨を受入れ可能とする（ステップＳ６０）。ここで、「５００円、１００円、５０円、１０円」の硬貨を１枚ずつ投入すると（ステップＳ５９，Ｙｅｓ）、上記の入金情報に加算して、「５６６０円」の入金情報がＬＣＤ表示部３に表示される。次に、無効硬貨が無しかを判定する（ステップＳ６１）。上記の場合には、紙幣の合計額は「５０００円」であるので、「１円硬貨」は受入れ拒否の無効硬貨となり、例えば、上記投入硬貨に加え、「１円硬貨」を投入すると、無効硬貨有として（ステップＳ６１，Ｎｏ）、無効硬貨を硬貨返却口６ａから返却する。
一方、上記のように「１円硬貨」の投入は無い場合には、無効硬貨無しとして（ステップＳ６１，Ｙｅｓ）、再度、終了ボタン７を押すと（ステップＳ６３，Ｙｅｓ）、「５６６０円」分の価値情報を、ＩＣカードリーダライタ１４を介して非接触ＩＣカード２に記憶する（ステップＳ６４）。この入金情報を主制御部１１からＬＡＮ２１を経由してセンタ装置２０に送信する（ステップＳ６５）。
【００１６】
その後、印刷ボタン９を押すと（ステップＳ６６）、領収書発行ユニット１８により領収書を印字して領収書発行口８から当該領収書を発行し（ステップＳ６７）、その後、非接触ＩＣカード２を返却して（ステップＳ６８）、一連の入金処理を終了する。
一方、ステップＳ５９にて、所定時間内に硬貨の受入れが無ければ（ステップＳ６０，Ｙｅｓ）、紙幣「５０００円」分の価値情報を、ＩＣカードリーダライタ１４を介して非接触ＩＣカード２に記憶する（ステップＳ６４）。
この異なる実施形態において、紙幣の入金を一旦、完了してから、投入可能な硬貨を判断して表示するため、利用者はどの硬貨が投入可能であるかが容易に判断できる。
なお、この図５の実施形態の変形例として、紙幣と硬貨の投入順序を定めておき、紙幣投入後、硬貨を投入する毎に受入れ、返却の判定を行うようにしてもよい。
【００１７】
また、硬貨の受入れ条件としては、金種のみならず、硬貨の投入枚数も受入れ条件としてもよく、ＬＣＤ表示部３に金種と枚数とを表示すれば、より利用者の利便性が高まるものであり、しかも、キーボード１７により設置場所などによって条件を変更することも可能である。
さらに、上述の実施形態において、非接触ＩＣカードへの入金方法として挿入式にて説明したが、挿入せずに非接触ＩＣカードを載置台に置く載置方式でもよく、また、載置方式の場合には、携帯電話に組み込まれたカードでも実施可能であり、しかも、入金専用機にて説明したが、自動改札機、自動販売機などに組み込んでもよい。
またさらに、終了ボタン７、印刷ボタン９を用いたが、ＬＣＤ表示部３にタッチパネル機能を組み込むようにしてもよい。
【産業上の利用可能性】
【００１８】
このような構成、動作により入金・積み増しされた非接触ＩＣカードは、おもに自動改札機、自動販売機、および商店街で使用することができる。
【図面の簡単な説明】
【００１９】
【図１】本発明の入金機の正面図である。
【図２】本発明の入金機のブロック図である。
【図３】本発明の紙幣と硬貨との投入関係を示す管理テーブル図である。
【図４】本発明の実施形態の処理を説明するフローチャートである。
【図５】本発明の異なる実施形態の処理を説明するフローチャートである。
【符号の説明】
【００２０】
１      入金機
２      非接触ＩＣカード
３      ＬＣＤ表示部
４      ＩＣカード挿入口
５      紙幣投入口
６      硬貨投入口
７      終了ボタン
１１    主制御部
１１ａ  記憶部
１４    ＩＣカードリーダライタ
１４ａ  アンテナ部
１５    紙幣識別装置
１６    硬貨識別装置
２０    ＬＡＮ
２１    センタ装置
【図１】
0004622730.tif 000002
【図２】
0004622730.tif 000003
【図３】
0004622730.tif 000004
【図４】
0004622730.tif 000005
【図５】
0004622730.tif 000006